Podtech/llm-jp-corpus-v4-ja_patent huggingface dataset:
(57)【要約】      （修正有）【課題】最近の住宅事情の変化により、旧来型の仏壇をお祀りしにくい住宅でも、使用しやすい仏壇を提供する。【解決手段】本体部分１の内部に仏壇部分２を内蔵し、前部に扉もなく、必要に応じてモーター部分３とリニアヘッド部分４の力で昇降するので、一見では仏壇と認識し難い為、マンション等の住環境でも、使用しやすい。【選択図】図３
0003117408.tif 000002
【実用新案登録請求の範囲】
【請求項１】
本体部分内部に仏壇部分を収納しておき、必要な時には、モーター、ジャッキ等の力でその仏壇部分がせり上がり、不要な時には下がり収納する、昇降式仏壇。
【考案の詳細な説明】
【技術分野】
【０００１】  本考案は、箱の内部に収納された仏壇が動力により昇降する為の仕組みに関するものである。
【背景技術】
【０００２】  仏壇の内部は、前部の扉を開けると現れ、礼拝が終わると扉を閉じていた。
【考案の開示】
【考案が解決しようとする課題】
【０００３】  前部に扉のある形状は、容易に仏壇と認識でき、最近の住宅、特にマンションでは、違和感を感じる人も多い。仏間ではない場所でも設置できる仏壇が求められている背景があり、この点を解決しようとするものである。
【課題を解決するための手段】
【０００４】  本体部分内部に仏壇部分を収納しておき、必要な時には、モーター、ジャッキ等の力でその仏壇部分がせり上がり、不要な時には下がり収納する、昇降式仏壇とする事により、問題点を解決している。
【考案の効果】
【０００５】  上述の様に、本考案の昇降式仏壇は、仏壇部分収納時には箱型であり、前面に扉が無いため、一見では、仏壇と認識しにくい形状である。この事により、従来の仏壇を設置しにくい設計の住居においても、使用可能となり、新たな購買層を開拓する事が可能となる。又、従来の仏壇よりデザイン性に優れている為、若年層にも受け入れられやすい。
【考案を実施するための最良の形態】
【０００６】  本考案の実施に当たっては、モーター部分３及びリニアヘッド部分４の動力がスムーズに本体部分１に内蔵された仏壇部分２に働く様に設定する必要がある。ラボジャッキによる手動はハンドル部分が目障りであり、フレキシブルシャフトによる伝達はスペース的に困難である為、モーター部分３の回転運動をリニアヘッド部分４で上下運動に変化させ駆動させる方法が最良である。
【図面の簡単な説明】
【０００７】
【図１】  本考案の昇降式仏壇の収納時の実施例を示す正面図である。
【図２】  本昇降式仏壇の使用時の実施例を示す正面図である。
【図３】  本昇降式仏壇の断面図である。
【符号の説明】
【０００８】  １  本体部分
２  仏壇部分
３  モーター部分
４  リニアヘッド部分
【図１】
0003117408.tif 000003
【図２】
0003117408.tif 000004
【図３】
0003117408.tif 000005
【手続補正書】
【提出日】平成17年9月14日(2005.9.14)
【手続補正１】
【補正対象書類名】実用新案登録請求の範囲
【補正対象項目名】全文
【補正方法】変更
【補正の内容】
【実用新案登録請求の範囲】
【請求項１】
本体部分１にモーター部分３を固定し、その回転運動をリニアヘッド部分４により上下運動に変換し、リニアヘッド部分４の上部に仏壇部分２を取り付け、その上下運動により、使用時にはせり上げ、不要時には下げて収納する、昇降式仏壇。
(57)【要約】      （修正有）【課題】普通のスリッパとしても使用できると共に、足を載せた状態において足とスリッパの密着性、履き勝手、一体性を高めることのできる安全なスリッパの提供。【解決手段】足を載せる底部と甲部を覆う上カバーからなるスリッパ本体において、足を入れた状態での親指と人差指との間に位置する部位の、上カバーと底部に上下に貫通する紐通し孔４，４’を設け、底部の底面での前半部位置には紐通し孔を覆う着脱自在な重ね底５を設け、又底部１と上カバー２の紐通し孔に紐を通して該紐通し孔の外側で止着した鼻緒７を設け、紐の止着部位を重ね底５で覆ってなるスリッパ。【選択図】図１
0003122405.tif 000002
【実用新案登録請求の範囲】
【請求項１】
足を載せる底部と甲部を覆う上カバーからなるスリッパ本体において、足を入れた状態での親指と人差指との間に位置する部位の、上カバーと底部に上下に貫通する紐通し孔を設け、底部の底面での紐通し孔の周辺位置には紐通し孔を覆う着脱自在な重ね底を設けてなるスリッパ。
【請求項２】
底部と上カバーの紐通し孔に紐を通して該紐通し孔の外側で止着した鼻緒を設け、紐の止着部位を重ね底で覆ってなる請求項１記載のスリッパ。
【考案の詳細な説明】
【技術分野】
【０００１】
本考案は室内履きのスリッパの改良に関す
【背景技術】
【０００２】
室内履きスリッパは足を載せる底部と甲を覆う上カバーからなっているのが通常であるが、履きやすい反面脱げ易い欠点がある。殊に幼児、老人などのように足の不自由な人の室内歩行においては途中で脱げやすく、躓いて転んだりする恐れがあり危険である。
【考案の開示】
【考案が解決しようとする課題】
【０００３】
そこで本考案は、普通のスリッパとしても使用できると共に、足を載せた状態において足とスリッパの密着性、履き勝手、一体性を高めることのできる安全な鼻緒着脱式のスリッパを提供しようとするものである。
【課題を解決するための手段】
【０００４】
足を載せる底部と甲部を覆う上カバーからなるスリッパ本体において、足を入れた状態での親指と人差指との間に位置する部位の、上カバーと底部に上下に貫通する紐通し孔を設け、底部の底面での紐通し孔の周辺位置に紐通し孔を覆う着脱自在な重ね底を設けてなるスリッパであり、又底部と上カバーの紐通し孔に紐を通して該紐通し孔の外側で止着した鼻緒を設け、紐の止着部位を重ね底で覆ってなるものである。
【考案の効果】
【０００５】
本考案の効果として、普通のスリッパとしても利用することができ、鼻緒を設ければ、足を載せた状態において足とスリッパの密着性、履き勝手、一体性を高め、不用意に脱げたりすることを少なくして歩行での安全性を高めることができる。
【実施例】
【０００６】
本案を図示の実施例により詳記すると、足を載せる底部１と甲部を覆う上カバー２からなるスリッパ本体３において、足を入れた状態での親指と人差指との間に位置する部位の、上カバー２と底部１に上下に貫通する紐通し孔４，４’を設け、底部１の底面１’での紐通し孔４’の周辺位置には該紐通し孔４’を覆う着脱自在な重ね底５を設けてなるものである。
【０００７】
底部１と上カバー２の紐通し孔４，４’に紐６を通して該紐通し孔４，４’の外側で止着した鼻緒７を設け、紐６の止着部位を重ね底５で覆うよう取り付ける。
【０００８】
重ね底５は底部１にマジックテープ等のような掛着具８、８’を介して着脱自在とするのが望ましく、又重ね底５は底部１に縫い付け固定してもよく、更に重ね底５を取り付けた状態で底面１’と平面になるようにしておく。
【０００９】
紐６の通し方は任意であるが、図２のように２重にした紐６を紐通し孔４’、４の順に通し、上カバー２の上に輪を作っておき、紐６の両端部は底部１、上カバー２の両脇に出して上記の輪と結合し蝶結びにするして鼻緒７を作る。又紐６は単に紐通し孔４，４’の外側で抜けないように止着して鼻緒７を設けてもよい。鼻緒７を作った後重ね底５を取り付ける。
【図面の簡単な説明】
【００１０】
【図１】本考案に係るスリッパの縦断面説明図。
【図２】鼻緒の実施例を示した斜視説明図。
【符号の説明】
【００１１】
１：底部
１’：底面
２：上カバー
４，４’：紐通し孔
５：重ね底
６：紐
７：鼻緒
８、８’：掛着具
【図１】
0003122405.tif 000003
【図２】
0003122405.tif 000004
(57)【要約】【課題】従来の、バッテングマシンはボールに当てるか又はバットの素振りが主だった、このバッテングマシンは大ハンマ−で、連続４−５０回中心に当てる事を繰り返し行う事で、手首、腕、肩、腰の体力が増しバッテングが上達する、バッテング体力マシン。【解決手段】鋼鉄丸棒１にフランジ（鍔）２を溶接する、鋼鉄丸棒１の先端に軟鉄リング３を溶接して、切り立ちの土手に打ち込んでバッテング練習をする、以上の構成でなる。【選択図】図１
0003122404.tif 000002
【実用新案登録請求の範囲】
【請求項１】
鋼鉄丸棒の中間にフランジ（鍔）を溶接することを特徴とする、
【請求項２】
上記、鋼鉄丸棒の先端に軟鉄のリングを溶接することを特徴とする、
以上の構成で切り立ちの土手に打ち込んでバッテング練習をする、バッテング体力マシン。
【考案の詳細な説明】
【技術分野】
【０００１】この考案は、大ハンマーを使用してのバッティングの練習に関する。
【背景技術】
【０００２】従来、バッティング練習機はいろいろあったが、いずれも広い場所を必要とし又、他にバットの素振りが主だった。【０００３】なお、本考案に関連する公知技術として次の特許文献５を挙げることができる、又、多数あり同じ物は見あたらず。【０００４】
【特許文献５】  特開２００１−２８６５９５  特開平０８−３２２９６８  特開２００１−１３７４１８  特開平０８−３１８０１９  特開２０００−２６２６６１
【考案の開示】
【考案が解決しようとする課題】
【０００５】これまでは、広い場所が必要だったが、このバッティングマシンは大ハンマ−で鋼鉄丸棒の先端を連続４−５０回中心に当てる練習する事で、体力が増し、又、打率向上を目的とする。
【課題を解決するための手段】
【０００６】本考案は鋼鉄丸棒を切り立ちの土手に打ち込んで使用する、以上でなる。
又、安全のため、金網で回りを囲うことを望む
【考案の効果】
【０００７】本考案は、バッティング体力マシンであって、最初は軽く中心に当てる、ことを繰り返し行うことで、体が安定しバッティングが上達する。
【考案を実施するための最良の形態】
【０００８】以下、本考案の実施について説明する、鋼鉄丸棒１にフランジ（鍔）２を溶接する、丸棒１の先端に軟鉄リング３を溶接して、切り立ちの土手に打ち込んで使用する、以上の構成でなる。
【図面の簡単な説明】
【０００９】
【図１】本考案バッティング体力マシンの斜面図である。
【図２】本考案の高さ調整用砂箱、人工芝、大ハンマー。
【符号の説明】
【０００１０】１  鋼鉄丸棒
２  フランジ（鍔）
３  軟鉄リング
４  大ハンマ−
５  人工芝
６  高さ調整用砂箱
【図１】
0003122404.tif 000003
【図２】
0003122404.tif 000004
【手続補正書】
【提出日】平成18年3月6日(2006.3.6)
【手続補正１】
【補正対象書類名】実用新案登録請求の範囲
【補正対象項目名】全文
【補正方法】変更
【補正の内容】
【実用新案登録請求の範囲】
【請求項１】
鋼鉄丸棒の先端に軟鉄リングさらに中間にフランジ（鍔）を溶接してなることを特徴とするバッティグ体力マシン。
(57)【要約】【課題】  本考案取手付背かき棒は、内側にそらた背かき棒に、８０度角に添え付けた内側にそらせた取手である。力を入れずに強く皮膚に当るので、先端を丸くなめらかにした事により、気持ち良く満足できるのである。【解決手段】病気になり、力もなくなり、従来の孫の手で背中を掻こうとしたが掻けないので、棒を曲げてみたが、横を向いてしまう。これでは使い物にならない。そこで取手を付けてみたところ、角度によって力の入りかたが違うことがわかった。力を入れずに背中に当るような角度を調べると、８０度が良い。取手を内側に曲げた後ろの方で持つと４５度になるので強くあたる。背中に合わせて棒も曲げてあり、どこでも掻くことができる。【選択図】図１
0003122406.tif 000002
【実用新案登録請求の範囲】
【請求項１】
背かき棒本体に８０度角に添え付けた取手を内側にそらせた事により、どの方向にでも持ち方で自由に向けることができます。背かき棒も先の方を背骨のＳ状に合わせ、先の方を内側に曲げた事により、力を入れずに背中全体にとどきます。背かき棒の先端は皮膚に強く当たるので丸くしてある。これにより、背中の痒い所のどこにでも掻く事ができるのである。
【考案の詳細な説明】
【技術分野】
【０００１】本考案は内側にそりのある取手を８０度角に添え付けたものである
【背景技術】
【０００２】体の背骨はＳ状になっているので、従来の孫の手では痒い所に届かない所もある
【考案の開示】
【考案が解決しようとする課題】
【０００３】この孫の手の棒を曲げれば良いと思い曲げてみたが、背中を掻くと横を向いてしまう。そこで、取手を添え付けた事により、欠点を解決しようとしたものである。
【課題を解決するための手段】
【０００４】この取手の角度を種々試したが、背かき棒より８０度角に添え付けることが最も適しているのである。その取手を内側にそらせる事により、力を入れず、右、左にも自由に動き、正確に皮膚に当るのである。そして背骨のＳ状に合わせ背かき棒の方も内側にそらす事により、痒い所に届くのである。従来の孫の手では、背中に傷が付くおそれがあります。
【考案の効果】
【０００５】上述の様に本考案は取手を添え付けし、取手を上下に動かす事により、皮膚に強く当るので、先端を丸くなめらかにした事により、気持ち良く満足に背中の痒い所をとることが出来るのである。
【考案を実施するための最良の形態】
【０００６】この取手背かき棒は、内側にそった取手と内側にそった背かき棒を８０度にしてネジ留めした事により、背中全体に行き届くのである。
【実施例】
【０００７】以下添付図面に従って実施例を説明する。今は試作の品です。１の取手は木で作った物である。取手の上部２の所へ４本の指で支え、取手の下側の前３の所で８０度にしてあり、これが最適である。４の所に親指を置くときで棒より４５度になり、より強く力が背中に当るのである。５は１の取手と６の背かき棒のネジ留めである。
【産業上の利用可能性】
【０００８】Ｓ状の背骨に合わせて、６の背かき棒の先を内側にまげてどこにでも届くようにし、背中全体に行き届き、満足に痒みを取ることが出来る。【０００９】７の先端は丸くなめらかにしてあり皮膚に傷がつかない様にしてある。
【図面の簡単な説明】
【００１０】
【図１】本考案の背かき棒の横面である。
【図２】本考案の背かき棒の正面である。
【符号の説明】
【００１１】１  取手
２  人サシ指  中指  薬指  小指
３  ８０度のところで親指のところ
４  ４５度のところで親指のところ
５  ネジ留
６  背かき棒
７  先端  皮膚にあたるところ
【図１】
0003122406.tif 000003
【図２】
0003122406.tif 000004
【手続補正書】
【提出日】平成18年3月8日(2006.3.8)
【手続補正１】
【補正対象書類名】実用新案登録請求の範囲
【補正対象項目名】全文
【補正方法】変更
【補正の内容】
【実用新案登録請求の範囲】
【請求項１】
背かき棒本体に８０度角に添え付けた取手を内側にそらせた事によって、どの方向にでも自由に向けることができ、背かき棒も先の方を背骨のＳ状に合わせ、先の方を内側に曲げた事により、力を入れずに背中全体にとどき、背かき棒の先端を皮膚に強く当たるので丸くし、これにより  背中の痒い所のどこにでも掻く事ができる取手付き背かき棒
(57)【要約】      （修正有）【課題】大きさの違うタイルを併用装着でき、ユニットタイル底板裏の柱の数を多くすることにより耐久性のあるユニットタイルを提供する。【解決手段】合成樹脂製のユニットタイルに、４枚の小タイルを接着剤とユニットタイルの周囲仕切り掛け壁と中央に交差する４つの中央仕切り掛け壁に沿って周囲仕切り掛けと中央仕切り掛けにタイルを嵌め込むことによって上方に抜けないように接合され、中央に交差する４つの中央仕切り掛け壁を折ることが可能で、横に折ることによって仕切りが無くなり、１枚の大タイルも接合可能にした。【選択図】図１
0003122401.tif 000002
【実用新案登録請求の範囲】
【請求項１】
合成樹脂製のユニットタイルに、４枚の小タイルを接着剤とユニットタイルの周囲仕切り掛け壁に沿って周囲仕切り掛けと中央に交差する４つの中央仕切り掛け壁に沿って中央仕切り掛けに嵌め込むことによって上方に抜けないように接合されるユニットタイル。
【請求項２】
請求項１に記載した中央に交差する４つの中央仕切り掛け壁を折ることが可能で、４つの中央仕切り掛け壁を横に折ることによって仕切りが無くなり、１枚の大タイルも接合可能にしたユニットタイル。
【請求項３】
このユニットタイルの裏側に数本の柱があり、上方からの衝撃に耐えれるような円柱足が装着されている。
【請求項４】
このユニットタイルに連結部、嵌合孔が装着されており、これによりユニットタイル同士の連結を可能としたユニットタイル。
【考案の詳細な説明】
【技術分野】
【０００１】本考案は、ユニットタイルが４枚の小タイルと１枚の大タイル両方接着可能とし、併用でき、このユニットタイルの裏にある多くの円柱足により耐久性ある連結可能なユニットタイルに関するものである。
【背景技術】
【０００２】ユニットタイルに４枚の小タイルを接着したとき小タイルと小タイルの間に溝ができないように仕切り壁を装着固定したが、この場合同じタイルの大きさのタイルしか接着できず、また、ユニットタイルの裏にある円柱足の数によって上方からの衝撃によって破損する場合があった。
【考案の開示】
【考案が解決しようとする課題】
【０００３】中央仕切り掛け壁が装着したユニットタイルで大きさの違うタイルを装着するには、ユニットタイルを作成する金型を別に作成する必要があり、上方からの衝撃に耐えることが可能なものとする必要がある。
【課題を解決するための手段】
【０００４】本考案は、合成樹脂製のユニットタイルに、４枚の小タイルを接着剤とユニットタイルの周囲仕切り掛け壁と中央に交差する４つの中央仕切り掛け壁に沿って周囲仕切り掛けと中央仕切り掛けにタイルを嵌め込むことによって上方に抜けないように接合され、中央に交差する４つの中央仕切り掛け壁を折ることが可能で、横に折ることによって仕切りが無くなり、１枚の大タイルも接合可能にした。
ユニットタイルの裏側には、数本の円柱足があり、上方からの衝撃に耐えれるような円柱足が装着されいる。このユニットタイルに連結部、嵌合孔が装着されており、これによりユニットタイル同士の連結も可能にした。
【考案の効果】
【０００５】大きさの違うタイルをユニットタイルに装着する時、このユニットタイルを作成する為の違う金型を作成する必要がなく、ユニットタイルにタイルを接着する作業時、大きさによりユニットタイルを区分けして作業しなくても可能となり、ユニットタイルの裏の円柱足の数を多くすることにより、耐久性のあるユニットタイルができる。
【考案を実施するための最良の形態】
【０００６】４枚の小タイルを接着する時は、そのままユニットタイルに嵌め込み接着剤で接着する。
１枚の大タイルを接着する場合は、４枚の中央仕切り掛け壁を横に折って接着剤で接着する。
【実施例】
【０００７】以下、添付図面に従って一実施例を説明する。４枚の７を１の４方片隅に接着剤を使用して接着し、４あるいは６により７を嵌め込むことにより、上方への抜けを止める。また、４つの５を横に折ることにより８を４方片隅に接着剤を使用して、４により上方への抜けを止める。
このユニットタイルの２を３に差し込むようになっていてユニットタイル同士が連結可能となっている。
【図面の簡単な説明】
【０００８】
【図１】本考案のユニットタイルに４枚の小タイルを装着する図面である。
【図２】本考案のユニットタイルに１枚の大タイルを装着する図面である。
【図３】本考案のユニットタイルの裏側の図面である。
【図４】本考案のユニットタイル同士の連結の図面である。
【符号の説明】
【０００９】１    ユニットタイル
２    連結部
３    嵌合孔
４    周囲仕切り掛け
５    中央仕切り掛け壁
６    中央仕切り掛け
７    小タイル
８    周囲仕切り掛け壁
９    円柱足
１０  円柱足
１１  円柱足
１２  大タイル
【図１】
0003122401.tif 000003
【図２】
0003122401.tif 000004
【図３】
0003122401.tif 000005
【図４】
0003122401.tif 000006
【手続補正書】
【提出日】平成17年12月27日(2005.12.27)
【手続補正２】
【補正対象書類名】実用新案登録請求の範囲
【補正対象項目名】請求項３
【補正方法】変更
【補正の内容】
【請求項３】
請求項１に記載したユニット底板の裏側に数本の柱があり、上方からの衝撃に耐えれるような柱が装着されている。
【手続補正３】
【補正対象書類名】実用新案登録請求の範囲
【補正対象項目名】請求項４
【補正方法】変更
【補正の内容】
【請求項４】
請求項１に記載したユニット底板に連結部、嵌合孔が装着されており、これによりユニット底板同士の連結を可能としたユニットタイル。
【手続補正書】
【提出日】平成18年3月6日(2006.3.6)
【手続補正１】
【補正対象書類名】実用新案登録請求の範囲
【補正対象項目名】請求項３
【補正方法】変更
【補正の内容】
【請求項３】
請求項１に記載したユニット底板の裏側に数本の柱があり、上方からの衝撃に耐えれるような円柱足が装着されたユニットタイル。
(57)【要約】      （修正有）【課題】見つけやすく、又、ホコリ等をかぶりにくい高い位置に設ける事が出来、掃除等も容易に行うことが出来るコンセントの提供。【解決手段】電気の差し込みプラグ１に重量感をもたせ安定させる。その上部にパイプ２を縦に取り付けその内部に電気コ−ドを通し、パイプの先端にコンセント３を取り付けて自立させ高い位置に設ける。こうすることによってコンセントか見つけやすく  又、ホコリ等をかぶりにくく掃除等も容易に行うことが出来る。【選択図】図１
0003122409.tif 000002
【実用新案登録請求の範囲】
【請求項１】
電気コンセントの位置を簡単に移動する目的で、まず電気の差し込みプラグに重量感を持たせる。それをコンセントに差し込んで安定させ、その上部にパイプを縦に取り付け、内部に電気コ−ドを通し、パイプの先端にコンセントを取り付ける構造とした自立式電気コンセントである。
【考案の詳細な説明】
【技術分野】
【０００１】  本考案は、電気コンセントの位置を簡単に移動する目的で、まず電気の差し込みプラグに重量感をもたせる。それをコンセントに差し込んで安定させ、その上部にパイプを縦に取り付け、その内部に電気コ−ドを通し、パイプの先端にコンセントを取り付ける構造とした自立式電気コンセントである。
【背景技術】
【０００２】  室内の壁に取り付けられた従来の電気の差し込みコンセントは、家具や電気製品の裏側になることが多く、差し込みプラグの装着や取り外しがなかなか困難である等の不具合が生じた。
【考案の開示】
【考案が解決しょうとする課題】
【０００３】  従来の電気コンセントは、家具や電気製品の裏側になることが多く、場所が見つけにくかったりホコリ等をかぶってショ−トする等の火災事故にもつながることがあった。
【課題を解決するための手段】
【０００４】  電気の差し込みプラグに重量感をもたせ安定させる。その上部にパイプを縦に取り付けその内部に電気コ−ドを通しパイプの先端にコンセントを取り付けて自立させ、高い位置に設ける様にしたものである。
【考案の効果】
【０００５】  上述の様に本考案は、コンセントを見つけやすく  又、ホコリ等をかぶりにくい高い位置に設ける事が出来、掃除等も容易に行うことが出来る。
【考案の実施するための最良の形態】
【０００６】  電気の差し込みプラグ１に重量感をもたせ安定させる。その上部にパイプ２を縦に取り付けその内部に電気コ−ドを通しパイプの先端にコンセント３を取り付けて自立させる。
【図面の簡単な説明】
【０００７】
【図１】  自立式電気コンセントの斜視図である。
【図２】  自立式電気コンセントのパイプ部を斜めにしたタイプの斜視図である。
【符号の説明】
【０００８】      １  電気差し込みプラグ（重量感をもたせる。）
２  パイプ
３  コンセント
【図１】
0003122409.tif 000003
【図２】
0003122409.tif 000004
【手続補正書】
【提出日】平成18年3月3日(2006.3.3)
【手続補正１】
【補正対象書類名】明細書
【補正対象項目名】全文
【補正方法】変更
【補正の内容】
【考案の詳細な説明】
【技術分野】
【０００１】  本考案は、電気コンセントの位置を簡単に移動する目的で、まず電気の差し込みプラグの上部にパイプを取り付け、その内部に電気コ−ドを通し、パイプの先端にコンセントを取り付ける構造とした自立式電気コンセントである。
【背景技術】
【０００２】  室内の壁に取り付けられた従来の電気の差し込みコンセントは、家具や電気製品の裏側になることが多く、差し込みプラグの装着や取り外しがなかなか困難である等の不具合が生じた。
【考案の開示】
【考案が解決しょうとする課題】
【０００３】  従来の電気コンセントは、家具や電気製品の裏側になることが多く、場所が見つけにくかったりホコリ等をかぶってショ−トする等の火災事故にもつながることがあった。
【課題を解決するための手段】
【０００４】  電気の差し込みプラグの上部にパイプを取り付け、その内部に電気コ−ドを通し、パイプの先端にコンセントを取り付けて自立させ、高い位置に設ける様にしたものである。
【考案の効果】
【０００５】  上述の様に本考案は、コンセントを見つけやすく  又、ホコリ等をかぶりにくい高い位置に設ける事が出来、掃除等も容易に行うことが出来る。
【考案の実施するための最良の形態】
【０００６】  電気の差し込みプラグ１の上部にパイプ２を取り付け、その内部に電気コ−ドを通し、パイプの先端にコンセント３を取り付けて自立させる。
【図面の簡単な説明】
【０００７】
【図１】  自立式電気コンセントの斜視図である。
【符号の説明】
【０００８】      １  電気差し込みプラグ
２  パイプ
３  コンセント
【手続補正２】
【補正対象書類名】実用新案登録請求の範囲
【補正対象項目名】全文
【補正方法】変更
【補正の内容】
【実用新案登録請求の範囲】
【請求項１】
電気差し込みプラグの上部にパイプを取り付け、その内部に電気コ−ドを通し、パイプの先端にコンセントを取り付ける構造とした自立式電気コンセントである。
【手続補正３】
【補正対象書類名】図面
【補正対象項目名】〔図２〕
【補正方法】削除
【補正の内容】
(57)【要約】      （修正有）【課題】従来の、バッティングマシンはボールに当てるか又はバットの素振りが主だった、このバッティングマシンは大ハンマーで、連続４−５０回中心に当てる事を繰り返し行う事で、手首、腕、肩、腰の体力が増しバッティングが上達する、バッティング体力マシン。【解決手段】鋼鉄丸棒２をコンクリートブロック１に埋め込む、鋼鉄丸棒２の根元に鬼鋼５を溶接する、鋼鉄丸棒２の先端に軟鉄のリング３を溶接する鋼鉄丸棒２の中央部分に振動止めリング４をコンクリートブロック１に埋め込む。【選択図】図１
0003122403.tif 000002
【実用新案登録請求の範囲】
【請求項１】
鋼鉄丸棒の根元に鬼鋼を溶接することを特徴とする。
【請求項２】
上記、鋼鉄丸棒をコンクリートブロックに埋め込むことを特徴とする。
【請求項３】
上記、鋼鉄丸棒の先端に、軟鉄リングを溶接することを特徴とする、
以上の構成でなる、バッテング体力マシン。
【考案の詳細な説明】
【技術分野】
【０００１】この考案は、大ハンマーを使用うしてのバッテングの練習に関する。
【背景技術】
【０００２】従来、いろいろバッテング練習機はあったが、いずれも広い場所を必要し又、他にバットの素振りが主だった。【０００３】なお、本考案に関連する公知技術として次の特許文献５を挙げることができる。他多数あり同じ物は見あたらず。【０００４】
【特許文献５】  特開２００１−２８６５９５  特開平０８−３２２９６８  特開２００１−１３７４１８  特開平０８−３１８０１９  特開２０００−２６２６６１
【考案の開示】
【考案が解決しようとする課題】
【０００５】これまで広い場所が必要だったが、このバッテングマシンは大ハンマ−で鋼鉄丸棒の先端を連続４−５０回中心に当てる練習することで体力が増し、又、打率向上を目的とする。
【課題を解決するための手段】
【０００６】本考案はコンクリートブロックに鋼鉄丸棒を埋め込む、又丸棒の先端に軟鉄のリングを溶接し又丸棒の根元に鬼鋼を溶接する、以上でなる
又、回りの安全のため、回りを囲うことを望む。
【考案の効果】
【０００７】本考案は、バッテング体力マシンであって、最初は軽く中心に当てることを繰り返し行うことで、体が安定しバッテングが上達する。
【考案を実施するための最良の形態】
【０００８】以下、本考案の実施について説明する、鋼鉄丸棒２をコンクリートブロック１に埋め込む、鋼鉄丸棒２の根元に鬼鋼５を溶接する、鋼鉄丸棒２の先端に軟鉄リング３を溶接する、鋼鉄丸棒２の中央部分に振動止めリング４をコンクリートブロックに埋め込む、以上の構成でなる
【図面の簡単な説明】
【０００９】
【図１】本考案のコンクリートブロックの斜面図である
【図２】本考案の高さ調整用砂箱人工芝大ハンマー
【符号の説明】
【０００１０】１    コンクリートブロック
２    鋼鉄丸棒
３    軟鉄リング
４    振動止めリンキグ
５    鬼鋼
６    大ハンマー
７    人工芝
８    高さ調整用砂箱
【図１】
0003122403.tif 000003
【図２】
0003122403.tif 000004
【手続補正書】
【提出日】平成18年3月6日(2006.3.6)
【手続補正１】
【補正対象書類名】実用新案登録請求の範囲
【補正対象項目名】全文
【補正方法】変更
【補正の内容】
【実用新案登録請求の範囲】
【請求項１】
鋼鉄丸棒の先端に軟鉄リングさらに根元に鬼鋼を溶接してコンクリートブロックに埋め込んでなることを特徴としたバッティング体力マシン。
(57)【要約】      （修正有）【課題】硬くて冷たいという不快な感触がなく、湯や石鹸液を流しても、椅子から滑り落ちることがなく安全である。【解決手段】一方の面が布地で他方の面が軟質の多孔シートであって、布地と軟質の多孔シートはその周囲のみが相互に固着されている事を特徴とする。付加的要件として布地がタオル地であって、軟質の多孔シートがプラスチック若しくはゴム等を使用した滑り止め材である。【選択図】図３
0003122415.tif 000002
【実用新案登録請求の範囲】
【請求項１】
一方の面が布地で他方の面が軟質の多孔シートであって、前期布地と軟質の多孔シート
はその周囲のみが相互に固着されていることを特徴とする浴室用椅子の滑り止めマット。
【請求項２】
布地がタオル地であって、軟質の多孔シートがプラスチック若しくはゴム等を使用した
滑り止め材である請求項１記載の浴室用椅子の滑り止めマット。
【考案の詳細な説明】
【技術分野】
【０００１】
本考案は、入浴時に浴室用椅子の上に敷くことによって、腰をかけたとき石鹸液や湯を流しても椅子から体が滑るのを防ぐものである。
【背景技術】
【０００２】
従来の浴室用椅子のマットには、特許文献1のように耐水、柔軟、保温性のある材質でできた肉厚の座布団本体の表面に突起を施し、裏面に椅子に固定する手段を有したものがある。又、特許文献２のようにビニールなどでできたシートで中央に穴を開けたものもある。
【０００３】
【特許文献１】実開２０００−８４４９号
【特許文献２】実開２００１−２３９２号
【考案の開示】
【考案が解決しようとする課題】
【０００４】
家庭や公衆浴場、また、温泉などで使用する椅子は木製やプラスチックで、できているため、腰をかけると硬くて冷たい感触を与えるとともに、体を洗っていると石鹸液が椅子の上面に流れて椅子から滑り落ちやすく、子供やお年寄り、また、踏ん張る力の弱い体の不自由な人にとっては危険であった。この不安を解消するために椅子の上にマットを敷こうとしても、従来のマットでは特許文献1のように、材質が、肉厚である為かさばり携帯するには不便である。又、乾かすには時間がかかる。特許文献２のように、ビニール等のシートであるためクッション効果や保温効果で快い感触を与えるもので無い等、不都合があった。
【０００５】
本考案は上記のような不具合を解消し、石鹸液や湯を流しても椅子から脱藩することなく、安心して腰をかけていることができる浴室用椅子の滑り止めマットを提供するもので  
ある。
【課題を解決するための手段】
【０００６】
本考案の浴室用椅子の滑り止めマットは、一方の面が布地で他方の面が軟質の多孔
シートであって、前記布地と軟質の多孔シートはその周囲のみが相互に固着されているものである。
付加的要件として、布地がタオル地であって、軟質の多幸孔シートがプラスチック若しくはゴムを使用した滑り止め材である。
【考案の効果】
【０００７】
上記の構成により、軟質の多孔シートが下になるように椅子の上に敷いて腰をかけると、
軟質の多孔シートが椅子上面の曲線にフィットして滑り止め効果を発揮して体の滑落が防止され、上面の布地と下面の軟質シートは周囲のみで閉じ合わせてあるので、体にかけた湯は上面の布地に浸透するとともに下面の軟質シートの透孔からも流入した湯によって
膨らみ、クッション効果も得られる。クッション効果はさらにお尻を温かく包み保温効果も得られて、お年寄りや幼児に快い感触を与えるものである。実際、公衆浴場や温泉などで、お年寄りが椅子の上にタオルを敷いて腰をかけている姿をよく目にすることが有るがタオルは感触は良いが、かけ湯に流されたり、シワになったりする。本考案はその様な不都合は生じない。
又、中空部があることによって、十分日に当てることができて衛生的で速く乾かす事ができる。さらに、浴室用椅子を他人と共有しあう場所での不潔感を解消するのに、軽くかさばらないので携帯しやすい。他にも半身浴の時、浴槽に沈めて敷けば、長時間座っていても、お尻が痛くなく、突然、お尻が滑って体が沈みそうになるのも防ぐ事ができる。
【考案を実施するための最良の形態】
【０００８】
以下、本考案の実施の形態を図面に基づいて説明する。
【０００９】
図1、図２に示す実施例は、上面の布地としてタオル地1を用い、下面に網状の滑り止めシート２を用いて周囲をミシンで縫合したものである。(図中、３はミシン目である)
周囲を綴じ合わせる手段として、図1、図２では縫い代が内側に折り曲げられて押さえミシンをかけているが、テープでトリミングしてもよい。
【００１０】
下面の滑り止めシート２は、網状に形成した天然又は合成の繊維、或いは多孔軟質プラスチックシートを天然又は合成のゴム液に浸漬して含浸させ、或いは塗布して滑り止め材としてもよい。又は、ゴム材を織り込んだ繊維を用いて多孔シートに形成してもよいし、多孔シートの適宜個所に複数の滑り止め材を縫着や貼着する等して滑り止め効果を得るようにしてもよい。
【００１１】
図1、図２で例示した浴室用椅子の滑り止めマットは、滑り止め部分が椅子上面に接するように敷いて腰をかける。滑り止めシート２は体重の付加によって椅子上面の曲面にフィットし、多量の湯を流しても孔から流出するので、マット自体が浮上することなく安定しており、体か椅子から滑り落ちるおそれはない。タオル地１と滑り止めシート２は周囲のみ縫合されて中空部４（図４）が形成されているので、体を洗って湯を流すと湯はタオル地1から中空部４に浸透するとともに、滑り止めシート２の網状部分からも浸透して浴室用椅子の滑り止めマットがクッション効果を発揮し、タオル地1の起毛部分に含まれた湯と中空部４に流入した湯により腰周りの保温効果も得られる。
【００１２】
実施例では布地が吸水性のタオル地の場合を例示したが、非吸水性の布地を用いてもよい。
この場合は流した湯が下面の軟質の多孔シートから中空部４に流入し、上述した実施例と同様にクッション効果も得ることができる。
又、タオル以外に、保温性、クッション性の高い材質があればそれでも良い。
滑り止めシートは図４に示す第２実施例として軟質シートに、多数の丸い孔を開けた物でも良い。但し、これよりも網状の軟質シートの方が孔が多く施されているので、風通しが良く、速く乾かす点では優れている。
【図面の簡単な説明】
【００１３】
【図１】本考案の実施形態を示す斜視図
【図２】本考案の実施形態を示す斜視図
【図３】本考案の実施形態を示す断面図
【図４】滑り止めシートの第２実施例を示す平面図
【図５】使用状態を示す斜視図
【図６】浴室用椅子に置いた状態を示す斜視図
【符号の説明】
【００１４】
１    タオル地
２    滑り止めシート
３    ミシン目
４    中空部
【図１】
0003122415.tif 000003
【図２】
0003122415.tif 000004
【図３】
0003122415.tif 000005
【図４】
0003122415.tif 000006
【図５】
0003122415.tif 000007
【図６】
0003122415.tif 000008
(57)【要約】【課題】本考案は、防犯パトロールをする際に不審者や不審車両の特徴を、簡単且つ的確に明記することができるノートを提供する。【解決手段】車両のナンバープレート・車の形状の下絵近くに車両の特徴を記入する項目を設け、各特徴を記入する欄を設ける。また、人物の下絵近くに不審者の特徴を記入する項目を設け、各特徴を記入する欄を設ける。【選択図】図１
0003122414.tif 000002
【実用新案登録請求の範囲】
【請求項１】
車両のナンバープレート・車の形状・人物の下絵を記載し、その下絵の近くに特徴を記入する欄を設けてなるノート。
【考案の詳細な説明】
【技術分野】
【０００１】  本考案は、ボランティアの人達が防犯パトロールをする際に不審者や不審車両の特徴を記入するノートに関する。
【背景技術】
【０００２】  従来、防犯パトロールをする際は、市販の無地のノートを持って行っていた。
【考案の開示】
【考案が解決しようとする課題】
【０００３】  これには次のような欠点があった。
（イ）何を書いたら良いのかわからない。
（ロ）人によって記入する内容が異なってしまう。
（ハ）重要なことを書き忘れてしまう。
本考案は、これらの欠点を除くためになされたものである。
【課題を解決するための手段】
【０００４】  車両のナンバープレートの形状の下絵（１）に、ナンバーを記入する箇所を点線で囲んだ空欄を設け、その下絵の近くに不審車両の目撃場所・車種・色・不審点を記入できる記入欄を設ける。また、車種がわからない人向けに、点線で車の形状の下絵（２）をあらかじめ記載しておき、点線をなぞって車の形状を描けるようにする。そして、人物の下絵（３）を記載し、その下絵の近くに目撃場所・性別・体型・年齢・肌色・身長・髪・服・所持品・履物・特徴を記入する欄を設ける。
本考案は、以上のような構成よりなるノートである。
【考案の効果】
【０００５】    本考案の防犯パトロール用ノートは、不審車両や不審者を目撃した際、ノートに簡単且つ的確に誰でも必要な特徴を明記することができる。防犯パトロールノートには必要事項があらかじめ書いてあるので、それにそって記入すれば誰もが悩まずに記入できる。
【考案を実施するための最良の形態】
【０００６】（イ）適宜な紙数のノートの各頁に、記入者・不審車両の特徴・不審者の特徴の項目を設ける。
（ロ）記入者の項目には、パトロール団体名・記入者・記入日時を記入できる欄を設ける。
（ハ）不審車両の項目には、目撃場所・車種・色・不審点を記入できる欄を設ける。
（ニ）不審車両の項目の近くに、記入する箇所を点線で囲んだ空欄を設けた車両のナンバープレートの形状の下絵（１）を設ける。
（ホ）また、不審車両の項目の近くに車種がわからない人向けに、車の形状の下絵（２）を設ける。
（ヘ）不審者の項目には、目撃場所・性別・体型・年齢・肌色・不審点・身長・髪型・服・所持品・履物を記入できる欄を設ける。
（ト）服装に大きな特徴がある場合用に、不審者の項目近くに人物の下絵（３）を設ける。
（チ）また、記入したノートに切り離し用のミシン目（４）を入れておく事で、切り離して警察等に速やかにＦＡＸする事も可能になる。【０００７】
【実施例】  以下、本考案の実施例について説明する。
本考案は、各種ボランティアによる防犯パトロールの活動の中で、不審車両や不審者を目撃した際に、防犯パトロール用ノートに記載されている項目にそって記入する事で、簡単且つ的確に誰でもが必要な特徴を明記できる。また、的確な特徴を明記できるので、警察への連絡時にも役立てることができる。そして、警察や防犯協会等に記入した内容を送る際にはミシン目から切り離してＦＡＸ送信する事も可能である。
【産業上の利用可能性】
【０００８】  本考案の防犯パトロール用ノートは、各種ボランティアによる防犯パトロールを行い、不審者及び不審車両を発見した際に、簡単且つ的確に誰でもが必要な特徴を明記できる。また、記入したノートを警察等にＦＡＸ送信し、不審者情報として提供できる。最近では防犯パトロール団体によって単独で行ったり、団体で行ったりしているが、パトロール終了時に各人が記入した防犯パトロールノートをパトロール団体や警察で集計し、同じ人物や同じ車両が違う場所でも不審者として目撃されているかなどの確認にも使え、犯罪が行われる前に注意する事もでき、犯罪の予防にもなる。そして、パトロールしている地域で何かしらの犯罪が起こった場合、それまでに記入された防犯パトロールノートを警察で捜査にも役立てることができる。
【図面の簡単な説明】
【０００９】
【図１】本考案の斜視図である。
【符号の説明】
【００１０】  １  ナンバープレートの形状の下絵
２  車の形状の下絵
３  人物の下絵
４  ミシン目
【図１】
0003122414.tif 000003
【手続補正書】
【提出日】平成18年3月14日(2006.3.14)
【手続補正１】
【補正対象書類名】実用新案登録請求の範囲
【補正対象項目名】全文
【補正方法】変更
【補正の内容】
【実用新案登録請求の範囲】
【請求項１】
切り離し用ミシン目を綴代側に設けた長方形の用紙の表面に、車両ナンバーを記入できるナンバープレートの形状の下絵、点線の車両形状の下絵、不審車両の目撃場所・車種・色・不審点を記入できる記入欄、人物の下絵、人物の目撃場所・性別・体型・年齢・肌色・身長・髪・服・所持品・履物・特徴を記入できる欄を印刷して設けてなるノート。
(57)【要約】【課題】引裂き強度を大きくて耐久性を高め、かつ白色してゴミの破片を容易に発見できるようなゴム成形体剥離用樹脂フィルムを提供することを目的とする。【解決手段】ゴム成形体との剥離に使用する樹脂フィルム１であり、基材２の樹脂フィルムの両面に白色の無延伸樹脂フィルム３を積層した構成からなる。【選択図】図１
0003122420.tif 000002
【実用新案登録請求の範囲】
【請求項１】
ゴム成形体との剥離に使用する樹脂フィルムであり、基材の樹脂フィルムの両面に白色の無延伸樹脂フィルムを積層したことを特徴とするゴム成形体剥離用樹脂フィルム。
【請求項２】
基材の樹脂フィルムがポリエステルである請求項２記載のゴム成形体剥離用樹脂フィルム。
【請求項３】
無延伸樹脂フィルムがポリプロピレンである請求項１または２記載のゴム成形体剥離用樹脂フィルム。
【考案の詳細な説明】
【技術分野】
【０００１】
本考案はゴム成形体剥離用樹脂フィルムに関するものであり、例えば平面状の溝付金型の上に未加硫ゴムシートを設置し、プレスにより加熱加圧してコグ形状に型付けしたコグパッドを作製する際に使用する剥離用樹脂フィルムに関する。
【背景技術】
【０００２】
ローエッジコグドベルトの製造方法の１つとして、予め用意したベルト周長よりも長い平面状の溝付金型の上に未加硫ゴムシートを設置し、プレスにより加熱加圧してコグ形状に型付けしたコグパッドを作製する。このコグパッドを成形ドラム上に装着した円筒状母型の突状部と溝状部に嵌め込み、コグパッドのカット面を突き合わせてジョイントした後、心線を巻き付け、更に他のゴム層、補強布をこの上から巻き付けて成型を終え、加硫工程へ移行していた。（例えば、特許文献１に開示。）
【０００３】
上記のプレスにより加熱加圧してコグ形状に型付けしたコグパッドを作製する工程では、未加硫ゴムシートの背面に２軸延伸した厚さ１０μｍ程度のポリプロピレンフィルムを使用していた。
【特許文献１】特開平５−１３２５８６号公報
【考案の開示】
【考案が解決しようとする課題】
【０００４】
しかし、２軸延伸したポリプロピレンフィルムは、一般的な需要が減少してきたために製造中止となった。これに代わるものとして無延伸のポリプロピレンフィルムがあるが、このフィルムは引裂き強度が低く、早期に破れが発生するために、耐久性に劣ることから実質的な使用は困難であった。また、透明なポリプロピレンフィルムを使用すると、ゴムを含むゴミの破片がゴム面に粘着していても発見できない問題があった。
【０００５】
本考案はこのような問題点を改善するものであり、引裂き強度を大きくて耐久性を高め、かつ白色してゴミの破片を容易に発見できるようなゴム成形体剥離用樹脂フィルムを提供することを目的とする。
【課題を解決するための手段】
【０００６】
本考案のゴム成形体剥離用樹脂フィルムは、基材の樹脂フィルムの両面に白色の無延伸樹脂フィルムを積層した構成からなり、基材の樹脂フィルムが引裂き強度を大きくて耐久性を高めて従来に比べて産業廃棄物の量を低減でき、そして白色の無延伸樹脂フィルムがフィルムの異常により剥離、破れが発生しても容易に発見できる。
【０００７】
また、本考案のゴム成形体剥離用樹脂フィルムは、基材の樹脂フィルムがポリエステルである場合や、無延伸樹脂フィルムがポリプロピレンである場合を含んでいる。
【考案の効果】
【０００８】
本考案のゴム成形体剥離用樹脂フィルムは、基材の樹脂フィルムが引裂き強度を大きくて耐久性を高めて従来に比べて産業廃棄物の量を低減でき、そして白色の無延伸樹脂フィルムがフィルムの異常により剥離、破れが発生しても容易に発見できる効果を有している。
【考案を実施するための最良の形態】
【０００９】
図１には本考案に係るゴム成形体剥離用樹脂フィルムの断面図を示す。ゴム成形体剥離用樹脂フィルム１は、厚さ２５〜１００μｍの樹脂フィルムからなる基材２の両面にイソシアネート系の接着剤を介して厚さ１０〜５０μｍの白色の無延伸樹脂フィルム３を積層した構成からなっている。
【００１０】
上記基材２としては、ポリエチレンテレフタレート、ポリエチレンナフタレート等のポリエステルフィルムが使用される。また、白色の無延伸樹脂フィルム３としては、無延伸のポリプロピレン、ポリアミドが好ましい。
【００１１】
以下に、上記のゴム成形体剥離用樹脂フィルム１を用いてコグパッド５を作製する工程を示す。図２に示すように、凹条部６と凸条部７を交互に有する平坦なコグ付き型８を用意し、このコグ付き型８に補強布９と未加硫ゴムシート１０を積層し、その表面にゴム成形体剥離用樹脂フィルム１を被せた後、４０〜１００°Ｃの所定温度に設定した条件下でプレス板１１により加圧成形し、コグ山部とコグ谷部を型付けする。プレス板１１を除去した後、ゴム成形体剥離用樹脂フィルム１を剥離してコグパッド５をコグ付き型８から除去する。上記コグパッド５はコグドベルトの成形に使用される。
【産業上の利用可能性】
【００１２】
本考案にかかるゴム成形体剥離用樹脂フィルムは、コグパッド等のゴム成形体の成形に使用することができる。
【図面の簡単な説明】
【００１３】
【図１】本考案に係るゴム成形体剥離用樹脂フィルムの断面図を示す。
【図２】ゴム成形体剥離用樹脂フィルムを用いてコグパッドを作製する工程を示す。
【符号の説明】
【００１４】
１  ゴム成形体剥離用樹脂フィルム
２  基材
３  無延伸樹脂フィルム
【図１】
0003122420.tif 000003
【図２】
0003122420.tif 000004
【手続補正書】
【提出日】平成18年3月30日(2006.3.30)
【手続補正１】
【補正対象書類名】実用新案登録請求の範囲
【補正対象項目名】全文
【補正方法】変更
【補正の内容】
【実用新案登録請求の範囲】
【請求項１】
ゴム成形体との剥離に使用する樹脂フィルムであり、基材の樹脂フィルムの両面に白色の無延伸樹脂フィルムを積層したことを特徴とするゴム成形体剥離用樹脂フィルム。
【請求項２】
基材の樹脂フィルムがポリエステルである請求項１記載のゴム成形体剥離用樹脂フィルム。
【請求項３】
無延伸樹脂フィルムがポリプロピレンである請求項１または２記載のゴム成形体剥離用樹脂フィルム。
(57)【要約】      （修正有）【課題】家庭内でのハンガーを整然と保管し、且つ再使用時にはスムーズに取り出せることを試みたものである。【解決手段】Ｖ字状の方形下地１の前面に沿って収納袋部４の左右辺を縫合して上辺にハンガー収納口５を形成し、この収納袋が方形下地に複数段重畳されると共に、下方向に行くに従ってその口縁が順次低くなる様にしたものであり、使用後のハンガーを家庭内で整然と保管し、且つ家庭での洗濯干し物等での使用時にはスムーズに取り出せるハンガー収納具。【選択図】図１
0003122464.tif 000002
【実用新案登録請求の範囲】
【請求項１】
上方に吊下部を設け、且つ下方が一定位置からＶ字状に形成された方形下地と、この方形下地の前面に沿ってその左右辺及びＶ字状辺を縫合して上辺にハンガー収納口を形成すると共に、而も下方向に行くに従ってその口縁が順次低くなる様、複数段重畳された収納袋部とで成すことを特徴としたハンガー収納具。
【請求項２】
収納袋部を布製とし、且つ方形下地が収納袋部に比し保形性に優れた材料にて形成したことを特徴とした請求項１記載のハンガー収納具。
【請求項３】
方形下地を布製とすることを特徴とした請求項１、２記載のハンガー収納具。
【請求項４】
収納袋部を同一寸法形状とし、この同一寸法形状の収納袋部を複数段重畳することを特徴とした請求項１記載のハンガー収納具。
【考案の詳細な説明】
【技術分野】
【０００１】
本考案は例えば針金、プラスチック等にて作られたカッター等の洗濯物のハンガーを整然と複数収納すると共に、而も取り出しも容易となるハンガー収納具に関する。
【背景技術】
【０００２】
近時、クリーニング店での洗濯物、例えばカッターはその依頼人の引取りまで針金、プラスチックにて作られたハンガーにて吊下げ保管されており、又、その依頼人においても引取後において自宅のロッカー等に同様に収納され、順次使用している。
而して、その使用後のハンガーは、を上記家庭内で雑然とダンボール箱に山積されているが、結構身近にて再利用されている。
即ち、家庭内の洗濯物は一つひとつこのハンガーにて吊下げられ、屋外にて干し物用に利用されている。
【考案の開示】
【考案が解決しようとする課題】
【０００３】
本考案は上記点に鑑み、家庭内でのハンガーを整然と保管し、且つ再使用時にはスムーズに取り出せることを試みたものである。
【課題を解決するための手段】
【０００４】
本考案は上記課題を解決するため、Ｖ字状の方形下地の前面に沿って収納袋部の左右辺を縫合して上辺にハンガー収納口を形成し、この収納袋が方形下地に複数段重畳されると共に、下方向に行くに従ってその口縁が順次低くなる様にしたものであり、使用後のハンガーを家庭内にて整然と保管し、且つ家庭での洗濯干し物等での使用時にはスムーズに取り出せることとしたものである。
【考案の効果】
【０００５】
(１)請求項１により、使用後のハンガーは複数段重畳された収納袋に順次収納することによって、家庭内で整然と保管でき、且つ家庭での洗濯干し物用に再使用する時もスムーズに取り出せることができ、而もそのハンガー収納具は全体
が平面状に形成されて嵩張らず、室内の壁、家具等に沿って吊下げることもで
き、美観を損なうこともない。
(２)請求項２により、方形下地は、布製の収納袋部に比し保形性に優れているから、収納されたハンガーの重みによってハンガー収納具全体が垂れ下がる所謂、型崩れすることもない。
(３)請求項３により、方形下地を保形性に優れた布製としているので、全体がソフトイメージとなり、感性を高めることとなる。
(４)請求項４により、収納袋部は同一寸法形状に形成されており、これを所望の段数に応じ縫い合わせすればよく、部材の管理並びに製造上利点を有する。
【考案を実施するための最良の形態】
【０００６】
以下本考案を実施の形態を図面に基づいて説明する。
図１に示す如く、方形下地１は上方に吊下部２を設け、且つ下方が一定位置ＲからＶ字状部３に形成されている。
而してこの方形下地１は、図３に示す如く心材１ａの全体を布または合成樹脂、厚紙等とするか、更には図２に示す如く、その全面を布製１ｂとするかは任意に選択し、保形性に優れたものとしている。
尚、ここで言う保形性とは、一定の形状を保持することを指す。
【０００７】
更にこの方形下地１の前面に収納袋部４を順次低くなる様に複数段重畳する。具体的には上辺のハンガーＨの収納口５の口縁５ａが順次低くなる様に複数段重畳し、収納袋部４の左右辺４ａ、４ａ及びＶ字状辺４ｂを方形下地１に縫合している。
又、この収納袋部４を同一寸法形状に制作すれば、部材の管理並びに製造上も利点となる。
【図面の簡単な説明】
【０００８】
【図１】ハンガー収納具の斜視図
【図２】同上の部分拡大斜視図
【図３】横断面図
【図４】縦断面図
【符号の説明】
【０００９】
１  方形下地
2  吊下部
３  Ｖ字状部
４  収納袋部
５  収納口
Ｈ  ハンガー
【図１】
0003122464.tif 000003
【図２】
0003122464.tif 000004
【図３】
0003122464.tif 000005
【図４】
0003122464.tif 000006